(57)【特許請求の範囲】
【請求項１】
予め作成されたロジック図として、シーケンスロジック処理の一連のシーケンスロジックを適宜のシート単位に分割して備えており、計算機により全てのシート間でユニークな入力名と、出力名を決定し、保持するための信号名設定方法において、
計算機が、適宜のシート単位に分割された一連のシーケンスロジックの前記各シートについて、
設計者からの前記各シートの入力と出力への当該シート内でユニークなローカル信号名の入力を受け付け、前記入力と出力に前記ローカル信号名を付与し、
設計者からの前記各シートへの当該シートの機能に関連した機能名の入力を受け付け、前記各シートに前記機能名を付与し、
各シートの各出力について、前記シートの機能名の後に前記出力のローカル信号名を付した前記出力の本番信号名を決定し、
各シートの入力のローカル信号名及び出力の本番信号名と機能名とを関連付けて抽出して、前記入力のローカル信号名と機能名とが関連付けられた入力信号関連情報と、前記出力の本番信号名と機能名とが関連付けられた出力信号関連情報を生成し、前記入力信号関連情報と出力信号関連情報とを設計者が対比可能に画面上に一覧表示し、
前記一覧表示を見た設計者から前記入力信号関連情報と出力信号関連情報の間の接続定義の入力を受け付け、前記接続定義に基づき前記各シートの出力を受ける他のシートの入力を決定し、決定された入力のローカル信号名を送り側のシートの出力の本番信号名に置換することを特徴とする信号名設定方法。
【請求項２】
請求項１記載の信号名設定方法において、
前記一連のシーケンスロジックとは、保護継電装置の保護継電演算結果を受けて電力系統を操作するシーケンスロジックであり、シートの機能に関連して付与される機能名とは、保護継電装置に関係するパラメータに応じて決定されたものであることを特徴とする信号名設定方法。
【請求項３】
請求項１記載の信号名設定方法において、
シートの機能に関連して付与される機能名は、前記一連のシーケンスロジックの複数のシートに対してユニークとされることを特徴とする信号名設定方法。
【請求項４】
CADにより予め作成されたCAD図面として、シーケンスロジック処理の一連のシーケンスロジックを適宜のシート単位に分割して備えており、計算機により全てのシート間でユニークな入力名と、出力名を決定し、保持するための信号名設定システムにおいて、
計算機が、適宜のシート単位に分割された一連のシーケンスロジックの前記各シートについて、
設計者からの前記各シートの入力と出力への当該シート内でユニークなローカル信号名の入力を受け付け、前記入力と出力に前記ローカル信号名を付与するとともに、設計者からの前記各シートへの当該シートの機能に関連した機能名の入力を受け付け、前記各シートに前記機能名を付与して第1のCAD図面を構成する手段と、
各シートの各出力について、前記シートの機能名の後に前記出力のローカル信号名を付した前記出力の本番信号名を決定して第２のCAD図面を構成する手段と、
各シートの入力のローカル信号名及び出力の本番信号名と機能名とを関連付けて抽出して、前記入力のローカル信号名と機能名とが関連付けられた入力信号関連情報と、前記出力の本番信号名と機能名とが関連付けられた出力信号関連情報を生成し、前記入力信号関連情報と出力信号関連情報とを設計者が対比可能に画面上に一覧表示する手段と、
前記一覧表示を見た設計者から前記入力信号関連情報と出力信号関連情報の間の接続定義の入力を受け付け、前記接続定義に基づき前記各シートの出力を受ける他のシートの入力を決定し、決定された入力のローカル信号名を送り側のシートの出力の本番信号名に置換して第３のCAD図面を構成する手段を備えることを特徴とする信号名設定システム。
【請求項５】
請求項４記載の信号名設定システムにおいて、
前記第２のＣＡＤ図面から抽出して、前記入力のローカル信号名と機能名とが関連付けられた入力信号関連情報と、前記出力の本番信号名と機能名とが関連付けられた出力信号関連情報を記憶する第１のデータベースと、該第１のデータベースの情報を、前記入力信号関連情報と出力信号関連情報とを設計者が対比可能に表示するモニタを備えることを特徴とする信号名設定システム。
【請求項６】
請求項５記載の信号名設定システムにおいて、
前記モニタに表示された入力信号関連情報と出力信号関連情報の前記一覧表示を見た設計者から、前記入力信号関連情報と出力信号関連情報の間の接続定義の入力を受け付け、受け付けた接続定義による当該シートの出力と、これを受ける他のシートの入力の対応を記憶する第２のデータベースを備えることを特徴とする信号名設定システム。
【請求項７】
請求項６記載の信号名設定システムにおいて、
前記第２のデータベースに記憶された当該シートの出力と、これを受ける他のシートの入力の対応に基づいて、前記第２のＣＡＤ図面の前記各シートの出力を受ける他のシートの入力を決定し、決定された入力のローカル信号名を送り側のシートの出力の本番信号名に置換して第３のＣＡＤ図面を得ることを特徴とする信号名設定システム。
【発明の詳細な説明】
【技術分野】
【０００１】
本発明は、ディジタル形保護継電装置のロジック図処理機能における、信号名の設定方法およびシステムに関する。
【背景技術】
【０００２】
電力系統を保護するディジタル形保護継電装置は、電力系統の電流・電圧などの電気量や、機器や装置の運用状態（開閉器の入／切、装置の使用／不使用など）を入力とし、保護継電演算により電力系統における事故の発生有無を判定する。事故発生を検出した際は、保護継電装置内の複数の保護継電要素間の時間協調や、他の保護継電装置との時間協調や、機器や装置の運用状態などに基づき、遮断器に対しトリップ指令を出力する。また、人間系に当該保護継電装置動作によるトリップを通知するために、監視制御装置などの他装置へ当該保護継電装置の動作情報を出力する。
【０００３】
上記したところのディジタル形保護継電装置内の働きを機能的に大別すると、電流、電圧、遮断器接点などの入力部分、複数の保護継電要素を含み電流、電圧情報を用いて事故検出を行う演算部分、演算部分での複数の保護継電要素の動作、不動作状態から遮断器の引き外しを決定するシーケンスロジック部分、遮断器引き外し指令を与える出力部分となる。
【０００４】
これらの機能の多くの部分は、ディジタル処理にて実行されるので、各部ごとにソフトウエア処理の設計を行う必要がある。このうち、特にシーケンスロジック部分のロジック処理は、複数の保護継電要素での保護継電演算による事故発生の検出を受けて、トリップ指令や動作情報などの出力を決定するための論理演算処理であり、その処理内容は、展開接続図上にロジック図で表記される。
【０００５】
このロジック図は、装置規模によるが保護継電装置を構成する配電盤１面あたり、１００枚前後のシートで構成される。ここで、シートとは、シーケンスロジック部を構成する一連の上流（演算部分での複数の保護継電要素の動作、不動作状態）から下流（遮断器の引き外し）に至るシーケンス処理を、適宜の単位で分割したものであり、例えばシートＡの出力線（出力信号）がシートＢの入力線（入力信号）になるという関係にある。
【０００６】
このため、ロジック図のシート間の信号のつながりは信号名で表現される。例えば、シートＡのロジック図のある１つの出力信号がシートＢのロジック図のある１つの入力信号とつながっている場合は、それぞれの信号に同一の信号名を表記することによりその接続が表現される。
【０００７】
この信号は、シート１枚あたり１０〜２０個の信号が存在するので、仮に１００枚前後のシートで構成されるロジック図の場合には、全体で１０００〜２０００個程度の信号名が存在することとなる。これらの信号には、個々にユニークな信号名を付加する必要があり、異なる信号に同じ信号名を付与することは避けなければならない。また、これらの信号名は、論理回路の意味を把握しやすくするために、単なる英数字の連番による名称ではなく、各信号の意味を表現した名称とした上で、ユニークな名称である必要がある。
【０００８】
これに対し、各種の回路にユニークな名前を命名する手法として、特許文献１、特許文献２などが知られている。
【先行技術文献】
【特許文献】
【０００９】
【特許文献１】特開平４−３８５６７号公報
【特許文献２】特開昭６４−８２２６１号公報
【発明の概要】
【発明が解決しようとする課題】
【００１０】
上記の特許文献においては、階層型回路構成を前提として上位、下位層間でのユニークな名前の命名を図るものである。保護継電装置のシーケンスロジック部のような、一連の処理判断を幾つかのシート単位に分割して表現するようなものにおけるシート入力、シート出力間の問題を扱ったものではない。
【００１１】
このため、結局のところ従来のロジック処理の設計手順においては、これら膨大な数の信号に対して、個々にユニークな信号名を設計者が頭で考え付加している。この作業は、信号数が膨大であるため、ユニークな名称を考え出すために大きな作業負担、作業時間を要するほか、誤って重複した信号名を付加するなどのヒューマンエラーも発生しやすくなる。
【００１２】
以上のことから本発明の目的は、重複しない信号名を付加し、ロジック処理設計における信号名付加作業を確実、容易にする信号名設定方法およびシステムを提供することにある。
【課題を解決するための手段】
【００１３】
本発明の信号名設定方法は、この課題を解決するため、一連のシーケンスロジックを適宜のシート単位に分割し、シートごとに入力名と、出力名をユニークに決定するための信号名設定方法において、シートの入力と出力に、このシート内でユニークなローカル信号名を付与し、このシートに、このシートの機能に関連して機能名を付与し、各シートの出力に機能名の後にローカル信号名を付した出力の本番信号名を決定し、各シートの信号名と、機能名を関連つけて抽出して、入力信号関連情報と出力信号関連情報の対比により、当該シートの出力を受ける他のシートの入力を決定し、決定された入力の信号名を、送り側のシートの出力の本番信号名に置換する。
【００１４】
なお、一連のシーケンスロジックとは、保護継電装置の保護継電演算結果を受けて電力系統を操作するシーケンスロジックであり、シートの機能に関連して付与される機能名とは、保護継電装置に関係するパラメータに応じて決定されるのがよい。
【００１５】
また、シートの機能に関連して付与される機能名は、一連のシーケンスロジックの複数のシートに対してユニークとされるのがよい。
【００１６】
本発明の信号名設定システムは、この課題を解決するため、ＣＡＤ作成された一連のシーケンスロジックを適宜のシート単位に分割し、シートごとに入力名と、出力名をユニークに決定するための信号名設定システムであって、シート単位のＣＡＤ図面の入力と出力に、このシート内でユニークなローカル信号名と、このシートに、このシートの機能に関連した機能名が付与された第１のＣＡＤ図面と、各シートの機能名の後にローカル信号名を付して出力の本番信号名とした第２のＣＡＤ図面と、各シートの入力の信号名が、他のシートの出力の本番信号名に置換された第３のＣＡＤ図面を保持する。
【００１７】
なお、第２のＣＡＤ図面から抽出した入力、出力とその関連情報を機能名と関連付けて記憶する第１のデータベースと、第１のデータベースの情報を入力、出力名を機能名と関連付けて表示するモニタを備えるのがよい。
【００１８】
また、モニタに表示された入力信号関連情報と出力信号関連情報の対比により決定された当該シートの出力と、これを受ける他のシートの入力の対応を記憶する第２のデータベースを備えるのがよい。
【００１９】
また、第２のＣＡＤ図面に第２のデータベースの情報を加味して第３のＣＡＤ図面を得るのがよい。
【発明の効果】
【００２０】
以上のとおり、本発明によれば、ロジック処理の設計者は、ロジック図の各シート内でユニークであればよいローカル信号名の付加と、各シートの機能を表す４つ程度のパラメータ入力を実施すれば、全シート間でユニークな信号名がＣＡＤソフト上でロジック図に付加されるため、信号名付加作業に関する工数が低減され、品質が向上する。
【図面の簡単な説明】
【００２１】
【図１】本発明の実施形態を示すロジック図への信号名付加手順を示す図。
【図２】ロジック図の全体構成の一例を示す図。
【図３】シーケンスロジック部内シートの具体的な一例を示す図。
【図４】パラメータ設定の一例を示す図。
【図５】設定された機能名の一例を示す図。
【図６】事前準備されたシートの一例を示す図。
【図７】図６シートの出力信号を本番信号名に変換したシートを示す図。
【図８】事前準備されたシートの一例を示す図。
【図９】図８シートの出力信号を本番信号名に変換したシートを示す図。
【図１０】入力信号について信号名抽出して作成したデータベースを示す図。
【図１１】出力信号について信号名抽出して作成したデータベースを示す図。
【図１２】入力と出力信号を対比して表示するモニタ画面の一例を示す図。
【図１３】モニタ画面上の対応を示す図。
【図１４】接続定義により作成されたデータベースの一例を示す図。
【図１５】図７シートの入力信号も本番信号名に変換したシートを示す図。
【図１６】図９シートの入力信号も本番信号名に変換したシートを示す図。
【発明を実施するための形態】
【００２２】
以下、本発明の実施例について図を用いて説明する。
【実施例】
【００２３】
まず、ロジック図の全体構成について図２で説明する。同図でＳＨは、複数のシートで構成されたシート群を示している。この中で、シーケンスロジック部を構成するシート群は、保護ロジックに関するシート群ＳＨ−Ｐ，遮断器制御に関するシート群ＳＨ−ＣＢ，表示に関するシート群ＳＨ−Ｄである。ここで、本発明はシーケンスロジック部の信号名を設定するものではあるが、その前後の機能部分との間でも信号名を統一しておく必要がある。
【００２４】
そのため、保護継電装置の他の機能として、例えば演算部には演算部シート群ＳＨ−ＲＹ、入力部にはディジタル入力シート群ＳＨ−ＤＩ，ヒューマンインターフェイス入力シート群ＳＨ−ＨＩＩ，出力部にはディジタル出力シート群ＳＨ−ＤＯ，ヒューマンインターフェイス表示シート群ＳＨ−ＨＩＤを準備しておく。なお、これらの保護継電装置の他の機能のシート群は、上流側の演算部、入力部ではシーケンスロジック部に受け渡す信号名（信号線）の一覧が準備できればよく、下流側の出力部もシーケンスロジック部から受け渡される信号名（信号線）の一覧が準備できればよい。
【００２５】
図３は、シーケンスロジック部を構成するシート群の中から、任意の２枚を抽出したものであり、例えばＳＨ−Ｐ１は保護ロジックに関するシート群ＳＨ−Ｐの中の一枚、ＳＨ−Ｄ１は表示に関するシート群ＳＨ−Ｄの中の一枚である。これらのシートにおいては、入力２０２または２１２を用いた論理演算を実行し、出力２０３または２１３を与えている。これらのシートは、ＣＡＤ情報として作成されたものである。
【００２６】
以下、上記のようなシート群の間で、信号名を設定することについて、図１を参照して説明する。図１は本発明の実施形態を示すロジック図への信号名付加手順である。
【００２７】
以下、図１の処理手順ごとに説明するが、その前にこの図で使用する枠の形状の意味について説明しておくと、ステップＳ１０１と、Ｓ１０２と、Ｓ１０５は、設計者による作業を示している。また、ＣＡＤ１、ＣＡＤ２，ＣＡＤ３は、各作業段階におけるＣＡＤ図面（あるいはＣＡＤデータ）、ステップＳ１０３、Ｓ１０４，Ｓ１０６は、計算機などを用いて実行される処理、ＤＢ１，ＤＢ２は計算機などを用いて実行される処理の結果として生成されるデータベースを示している。
【００２８】
この図では、ステップＳ１０３以降の信号名設定処理を実行する前の準備段階として、ステップＳ１０１とＳ１０２の処理が設計者により事前に行われ、ＣＡＤ図面ＣＡＤ１が準備されているものとする。
【００２９】
〔ロジック図入力〕：ステップＳ１０１
図１のステップＳ１０１において、ＣＡＤソフトを用いて予め作成されたロジック図を入力する。このロジック図は、シーケンスロジック部のシーケンス処理を示す展開接続図であり、例えば図２のような全体内容のものである。図３は、図２の展開接続図のなかの２シート分について簡単に示したロジック図ＳＨ−Ｐ１とＳＨ−Ｄ１の例を示す。
【００３０】
ここで、各シートＳＨ−Ｐ１とＳＨ−Ｄ１のロジック図の各信号２０２、２０３、２１２、２１３のそれぞれには、各シート内でユニークな信号名を記載しておく。これは、シートＳＨ−Ｐ１の入力信号２０２の場合には例えば保護継電要素を意味するＲＹＡ，ＲＹＢ，ＲＹＣ，運用設定を意味するＵＳＥなどであり、出力信号２０３の場合には例えば瞬時動作、タイマ後動作を意味するＯＰ，ＳＯＰ，ＴＳＯＰなどである。また、シートＳＨ−Ｄ１の入力信号２１２の場合には保護継電要素の動作、強制制御、あるいは遮断器の引き外しを意味するＦＯＰ，ＴＲＰ，ＯＰＡ，ＯＰＢ，ＯＰＣなどであり、出力信号２１３の場合には動作表示を意味する３０ＴＲ，３０ＴＲＡ，３０ＴＲＢ，３０ＴＲＣなどである。この記載の仕方は、任意の考え方に基づいて行われてよいが、ここではその信号の意味が類推できるような命名としておくのがよい。
【００３１】
これをローカル信号名と呼ぶこととする。このローカル信号名は単一シート内でユニークであれば、他のシートとは名称が重複しても良く、この段階で他シートとの重複を気にする必要はない。
【００３２】
〔パラメータ入力〕：ステップＳ１０２
一方、もう１つの準備段階での処理として、ロジック図の各シートを描く際に、各シートにパラメータ入力を実施しておく。このパラメータ入力は、各シートにシート固有の名称を付与する（シート番号、あるいはシート名称を付ける）ことであるが、単なる名称ではなく、このシートによる論理回路、ロジック図が実現している機能を表すものとされる。
【００３３】
パラメータの決定には種々のものが考えられるが、電力系統に適用される保護継電装置の場合には、具体的には、図４の要素で構成されるのがよい。ここでの要素は、４段階（３０１−３０４）に区分され、段階ごとに記号表示された４つの記号の連続表示とされる。４段階の最上位段階３０１は、電力系統を主回路ごとに区分したものであり、例えば主回路が送電線であれば１号線／２号線などの回線での区別、母線であれば、甲母線／乙母線などの母線での区別、変圧器であれば１号変圧器／２号変圧器などの区別をする。
【００３４】
これらの区別を表記するについては、２桁程度の数字或いは英文字を用いて記号表記するのがよい。図４の記号例の欄に一例を示すが、例えば１号線１Ｌ／２号線２Ｌ、甲母線Ｘ／乙母線Ｙ、１号変圧器１Ｂ／２号変圧器２Ｂなどとする。
【００３５】
４段階の第２段階３０２は、最上位段階３０１の主回路区分の前提の上で、そのシートの機能で区分したものである。先に図２において、シーケンスロジック部のシーケンスが幾つかのシート群に分かれていることを説明したが、このシート群単位で分けたものと考えるのが理解しやすい。図２の例では、保護、遮断器制御、表示の機能単位に群を構成していたが、さらに再閉路などを追加してもよい。
【００３６】
この機能を表記する上での記号例の考え方は、主回路区分での考え方を踏襲すればよい。ここでは、保護継電要素ＲＹ，保護ＰＲ，再閉路ＲＣ，遮断器制御ＣＢ，動作表示ＡＬ，ディジタル入力ＤＩ，ヒューマンインターフェイス入力ＨＩなどと略記表記する。
【００３７】
なお、図４において、機能区分３０２が必須としたのに対して、主回路区分３０１が、任意としたのは、盤構成によっては例えば１号線／２号線を一括収納している場合と、１号線のみ収納した場合とがあり、後者では主回路区分を設けて他の回線と区別する必然性に欠けるためである。
【００３８】
４段階の第３段階３０３は、機能区分の中でさらに機能要素で区分したものである。例えば機能区分が保護の場合に、機能要素としては保護継電要素ごとに区分し、例えば差動保護８７Ｓ、短絡距離４４Ｓ、地絡方向６７Ｇといった観点での区分を行う。
【００３９】
４段階の第４段階３０４は、機能要素区分の中で同じ機能要素が複数ある場合に、さらに連続番号を付して区別するなどである。
【００４０】
このパラメータの組合せにより、各シートのロジック図が持つ機能をユニークに表現することができる。機能区分３０２と機能要素名３０３は必須パラメータであり、主回路区分３０１と補助区分３０４は任意パラメータである。補助区分３０４は他の３つのパラメータでユニークに機能を表現できない場合にそれぞれを区別するために用いる。
【００４１】
図５は、このようにして決定された４段階の区分を、連続する記号で表示することで、シート名称としたものであり、このようにして定められたシート名称を機能名と呼ぶことにする。図５の例１の場合、主回路区分は１Ｌ（１号線）、機能区分はＰＲ（保護）、機能要素名は８７Ｓ（差動保護）であるので、これらを高位段階順に表記した機能名２０４は、１ＬＰＲ８７Ｓとされる。例２、例３も考え方は同じなので説明を省略する。
【００４２】
これらのパラメータの組合せは、決められた記号の組合せによる文字列で表現し、後のステップＳ１０３で信号名の一部に使用する。このパラメータ設定は、各シートにつきわずか４つ以下のパラメータを設定するのみであるため、作業量は極めて少なくてすむ。
【００４３】
ステップＳ１０１，Ｓ１０２における事前の準備作業に基づき、ＣＡＤ図面ＣＡＤ１としては、例えば前記の図３に示したシートＳＨ−Ｐ１の例では、図６に示すように入力信号２０２と出力信号２０３にそれぞれローカル信号名が付与され、かつシート名称としてパラメータ設定に基づいて機能名（１ＬＰＲ８７Ｓ）が付与されたものとなっている。同様に、前記の図３に示したシートＳＨ−Ｄ１の例では、図８に示すように入力信号２１２と出力信号２１３にそれぞれローカル信号名が付与され、かつシート名称としてパラメータ設定に基づいて機能名（１ＬＡＬ８７Ｓ２）が付与されたものとなっている。
【００４４】
〔信号名置換（出力信号）〕：ステップＳ１０３
この段階において、図６、図８の各シートの入力信号名、出力信号名には、ローカル信号名が記載されているが、これらのうち、出力信号のローカル信号名２０３，２１３を図７、図９に示すようにＣＡＤ上で置換する。すなわち、図６の場合、図７に示すように、出力信号のローカル信号名２０３の頭に機能名２０４（１ＬＰＲ８７Ｓ）を付加し、両者をアンダーバーでむすぶような体系の名称５０３を新規に作成する。同様に、図８の場合、図９に示すように、出力信号のローカル信号名２１３の頭に機能名２０４（１ＬＡＬ８７Ｓ２）を付加し、両者をアンダーバーでむすぶような体系の名称５１３を新規に作成する。
【００４５】
前述のとおり、機能名２０４は全シート間でユニークになっているので、この置換後の出力信号名５０３，５１３は、全シート間でユニークとなる。この信号名を本番信号名と呼ぶこととする。
【００４６】
この時、信号名置換は各シートの出力信号に対して実施する。これは保護継電装置のロジック図においては、全シートで使われる信号は出力信号の集合で全てが網羅されること、および、出力信号はそれぞれがユニークで出力信号間で意味上の重複は必ずないことから、出力信号を命名すればロジック図の全ての信号を命名することができるためである。
【００４７】
また、入力信号は他シートあるいは自シートの出力信号が必ず接続されるので、接続元の出力信号名が当該入力信号の名称となる。従って、出力信号を命名すれば全ての信号を命名することとなる。
【００４８】
従って、次の段階においては、全シートの出力信号がユニークにできたので、全シートの入力信号２０２をユニークにする為の一連の処理を実行する。
【００４９】
〔信号名抽出〕：ステップＳ１０４
入力信号ユニーク化の第１段階として、出力信号名の置換を実施した後は、出力信号と入力信号の接続を定義する。ここで、この定義作業は、ステップＳ１０５において設計者がＣＡＤ図面を参照して自ら手作業により行うことになるので、この作業を容易とするために、図７、図９に示す出力信号名置換後のロジック図から各シートの入力信号名（ローカル信号名）、出力信号名（本番信号名）に対してＣＡＤ上で信号名抽出作業を実施し、抽出したデータをデータベース化してデータベースＤＢ１を生成する。そのうえで、入力と出力を一覧表示させることで、設計者の定義作業を容易に行わせるための支援を行う。
【００５０】
図１０は、入力信号から抽出された信号名を、番号と、シート名と、機能名２０４と、ローカル信号名２０２で関連付けて抽出してデータベースとしたものである。番号は、入力を意味するＩを先頭に任意の桁数の連続番号で表記している。シート名と、機能名２０４と、ローカル信号名２０２，２１２は、今までに説明した規則に従って表記されている。ここには、図７と図９の全ての入力が表示されている。
【００５１】
図１１は、出力信号から抽出された信号名を、番号と、シート名と、機能名２０４と、本番信号名５０３，５１３と、出力信号の説明とを関連付けて抽出してデータベースとしたものである。番号は、出力を意味するｏを先頭に任意の桁数の連続番号で表記している。シート名と、機能名２０４と、本番信号名５０３，５１３は、今までに説明した規則に従って表記されている。なお、出力信号の説明は、設計者が本番信号名をみれば、容易に理解できる事項であるが、参考情報を含めて表示しておくのがよい。ここには、図７と図９の全ての出力項目以外に、関連する他のシート（シート１１、シート３１、シート３４）の出力も表示している。
【００５２】
〔信号接続定義〕：ステップＳ１０５
図１０、図１１のように、データベースＤＢ１に蓄積された入力信号と出力信号のデータは、設計者による接続定義を容易に行わせるために、図１２のような形にしてモニター画面上に表示される。
【００５３】
画面表示の好適な例では、入力信号と出力信号のデータを関連情報と共に一覧表示させる。ここでは、接続元の表示情報として、機能名２０４と、出力信号（本番信号名）５０３，５１３と、出力信号の説明を表示する。また接続先としてシート名と、機能名２０４と、入力信号名（ローカル信号名）２０２，２１２とを対比させて表示する。
【００５４】
設計者は、この表示情報を見ながら接続定義を行うわけであるが、これを行う考え方としては、出力信号は、他のシートの入力信号であること、図２のシート群の間には、上流、下流の関係があること、シート間では、機能名に関連がある場合が多いことといった、知見を元に接続定義を実施することができる。
【００５５】
図１２は、右側欄に接続元である出力関係の情報を、左側欄に接続先である入力関係の情報を併記表示しているが、ここでの対比作業（接続定義）を容易にするには、画面上で幾つか表示に工夫がされていると実施しやすい。例えば、右側欄と、左側欄が、この単位でそれぞれ上下にスクロールできること、特定のキーを持つ情報のみが表示できる（例えば、図１２に図示の情報の中から、８７Ｓに関連する情報のみを表示できる）ことなどができるように表示されるのがよい。
【００５６】
設計者は図１２において、例えば接続元の本番信号名１ＬＰＲ８７Ｓ_ＴＳＯＰの接続先を、ここからわかる情報１Ｌ、８７Ｓから限定し、さらに保護機能ＰＲの下流の機能であることなどを参考に、接続先が１ＬＡＬ８７Ｓ_ＯＰＡであることを突き止める。あるいは設計者は、接続先の入力信号（ローカル信号名）に対し、その機能名とローカル信号名などから、接続元（機能名）、出力信号（本番信号名）を突き止める。図１３は、このようにして決定した接続先を矢印で表示したものである。
【００５７】
さらに、図１４はこの結果からローカル信号名で表示されていた入力信号を、本番信号名の入力信号８０２に変更する為のデータベースＤＢ２を作成したものであり、例えば、２０３番に表示されているシートＳＨ−Ｄ１、機能名１ＬＡＬ８７Ｓ，ローカル信号名ＯＰＡを、本番信号名１ＬＲＹ８７Ｓ_Ａに変更することを表している。
【００５８】
〔信号名置換（入力信号）〕：ステップＳ１０６
次いで、図１４のデータベースＤＢ２が持つ接続定義データを使い、各シートの入力信号名に対しＣＡＤ上で信号名置換を実施する。すなわち、図７、図９において、入力信号名（ローカル信号名）２０２、２１２を、接続元の出力信号名（本番信号名）８０２，８１２に置換する。
【００５９】
図１５と図１６は、図７と図９に、さらに入力信号の本番信号名を付加したものであり、ＣＡＤ３には、図１５と図１６が最終成果物として導かれる。
【００６０】
以上詳細に述べたように、全シートのロジック図の全信号名が、単に英数字の連番による信号名ではなく、信号の意味を表現した信号名により、ユニークに付加された状態となる。
【産業上の利用可能性】
【００６１】
上記説明は、保護継電装置のシーケンスロジック部分を例としたが、多くのシーケンスで適用可能である。
【符号の説明】
【００６２】
Ｓ１０１、Ｓ１０２、Ｓ１０５：設計者による入力作業
ＣＡＤ：ＣＡＤ図面
Ｓ１０３，Ｓ１０６：信号名置換
ＤＢ：データベース
２０２，２１２：入力信号（ローカル信号名）
２０３，２１３：出力信号（ローカル信号名）
２０４：機能名
３０１、３０２、３０３、３０４：ロジック図シートのパラメータ
５０３，５１３：出力信号（本番信号名）
８０２，８１２：入力信号（本番信号名）
【図１】
0005437181.tif 000002
【図２】
0005437181.tif 000003
【図３】
0005437181.tif 000004
【図４】
0005437181.tif 000005
【図５】
0005437181.tif 000006
【図６】
0005437181.tif 000007
【図７】
0005437181.tif 000008
【図８】
0005437181.tif 000009
【図９】
0005437181.tif 000010
【図１０】
0005437181.tif 000011
【図１１】
0005437181.tif 000012
【図１２】
0005437181.tif 000013
【図１３】
0005437181.tif 000014
【図１４】
0005437181.tif 000015
【図１５】
0005437181.tif 000016
【図１６】
0005437181.tif 000017